(57)【要約】【課題】  鉄道車輌のレールカーブ地点での内側レール上の車輌の浮上りを阻止し、車輌の転倒事故を防止する。【解決手段】  鉄道レールのカーブ地点の内側レール２の内側に少し間隔をあけて並列して浮上り防止用長尺鋼材５を配置し、これを鋼材支持台７を介して枕木３に固定する。  一方車輌のボギー台車の車輌支持用フレーム８に取付けた固定軸９に浮上り防止輪１０を回転自在に取付ける。車輌が走行してカーブ地点に入ると、この地点より以降、浮上り防止用長尺鋼材５が取付けられているため、車輌支持用フレーム８に取付けられている浮上り防止輪１０は、そのまま長尺鋼材５の鍔６の下にもぐり込み、浮上ることが制限される。このようにして車輌ボギー台車のカーブ地点での浮上りを防止する方法。【選択図】図１
2006335339.tif 000002
【特許請求の範囲】
【請求項１】
鉄道レールのカーブ地点の外側レール１の内側に少し間隔をあけて並列して浮上り防止用長尺鋼材５を配置し、これを鋼材支持台７を介して枕木３に固定する。
一方車輌のボギー台車の車輌支持用フレーム８に取付けた固定軸９に浮上り防止輪１０を回転自在に取付ける。車輌が走行してカーブ地点に入ると、この地点より以降、浮上り防止用長尺鋼材５が取付けられているため、車輌支持用フレーム８に取付けられている浮上り防止輪１０は、そのまま長尺鋼材５の鍔６の下にもぐり込み、浮上ることが制限される。このようにして車輌ボギー台車のカーブ地点での浮上りを防止する方法。
【発明の詳細な説明】
【技術分野】
【０００１】  鉄道車輌のレールカーブ地点での転倒脱線事故を防止する。
【背景技術】
【０００２】  鉄道車輌のレールカーブ地点での外側レール上の車輪の浮上り防止方法は現在行われていない。
【発明の開示】
【発明が解決しようとする課題】
【０００３】  外側レール上の車輪の浮上り防止方法としてレールカーブ地点に進行する車輌の運転には特別な操作を付加する必要なく、又、直線区間の運転には、この運行の支障を生じることなく、且、機械的に確実に自働的に作動する浮上り防止方法を求める。
【課題を解決するための手段】
【０００４】  鉄道レールのカーブ地点の外側レール１の内側に少し間隔をあけて並列して浮上り防止用長尺鋼材５を配置し、これを鋼材支持台７を介して枕木３に固定する。
一方車輌のボギー台車の車輌支持用フレーム８に取付けた固定軸９に浮上り防止輪１０を回転自在に取付ける。車輌が走行してカーブ地点に入ると、この地点より以降、浮上り防止用長尺鋼材５が取付けられているため、車輌支持用フレーム８に取付けられている浮上り防止輪１０は、そのまま長尺鋼材５の鍔６の下にもぐり込み、浮上ることが制限される。このようにして車輌ボギー台車のカーブ地点での浮上りを防止する方法。
【発明の効果】
【０００５】  本発明により電気的、機械的に特別の操作なく車輌のレールカーブ地点での運行の安全性を向上させることが出来る。
【発明を実施するための最良の形態】
【０００６】  図１、図２は本発明実施の一例である。
鉄道レールのカーブに入る緩和曲線の開始地点の手前からカーブが終わる地点までの区間の外側レール１の内側に少し間隔をあけて並列して多数の浮上り防止用長尺鋼材５を並べて、これを連結し、これらを鋼材支持台７を介してコンクリート枕木３に強固に固定する。
一方車輌のボギー台車の車輌支持用フレーム８に取付けた固定軸９に浮上り防止輪１０を軸受により回転自在に取付ける。【０００７】  車輌が走行してきて緩和曲線の開始地点に入るとこの地点以降、浮上り防止用長尺鋼材５が取付けられているため車輌支持用フレーム８の固定軸９に取付けられている浮上り防止輪１０はそのまま長尺鋼材５の鍔６に下にもぐり込み浮上り防止輪１０が少し浮上って、鍔６に接すると、浮上り防止輪１０は回転し、これ以上の浮上は不可能となる。このようにして車輌ボギー台車は円滑に浮上りを阻止される。【０００８】  浮上り防止輪１０が少し浮上って鍔６に接するとコンクリート枕木３には引き上げられる力を生ずる。従ってレール１の外側に枕木用コンクリート杭１１を地中深く打込み、コンクリート巻きし、土砂を埋戻した後、コンクリート杭１１の埋込ナット１２と枕木取付ボルト１３により、コンクリート枕木３をコンクリート杭１１の上に押え込み締結することが必要である。
【図面の簡単な説明】
【０００９】
【図１】本発明実施の一例を示す縦断面図
【符号の説明】
【００１０】  １・・・・外側レール              ２・・・・内側レール
３・・・・コンクリート枕木        ４・・・・車輌の車輪
５・・・・浮上り防止用長尺鋼材    ６・・・・同左の鍔
７・・・・鋼材支持台
８・・・・ボギー台車の車輌支持用フレーム
９・・・・固定軸                １０・・・・浮上り防止輪
１１・・・・枕木用コンクリート杭  １２・・・・同左の埋込ナット
１３・・・・枕木取付用ボルト
【図１】
2006335339.tif 000003
【手続補正書】
【提出日】平成17年7月9日(2005.7.9)
【手続補正１】
【補正対象書類名】特許請求の範囲
【補正対象項目名】請求項１
【補正方法】変更
【補正の内容】
【請求項１】
鉄道レールのカーブ地点の内側レール２の内側に少し間隔をあけて並列して浮上り防止用長尺鋼材５を配置し、これを鋼材支持台７を介して枕木３に固定する。
一方車輌のボギー台車の車輌支持用フレーム８に取付けた固定軸９に浮上り防止輪１０を回転自在に取付ける。車輌が走行してカーブ地点に入ると、この地点より以降、浮上り防止用長尺鋼材５が取付けられているため、車輌支持用フレーム８に取付けられている浮上り防止輪１０は、そのまま長尺鋼材５の鍔６の下にもぐり込み、浮上ることが制限される。このようにして車輌ボギー台車のカーブ地点での浮上りを防止する方法。
【手続補正２】
【補正対象書類名】明細書
【補正対象項目名】全文
【補正方法】変更
【補正の内容】
【発明の詳細な説明】
【技術分野】
【０００１】  鉄道車輌のレールカーブ地点での転倒脱線事故を防止する。
【背景技術】
【０００２】  鉄道車輌のレールカーブ地点での内側レール上の車輪の浮上り防止方法は現在行われていない。
【発明の開示】
【発明が解決しようとする課題】
【０００３】内側レール上の車輪の浮上り防止方法としてレールカーブ地点に進行する車輌の運転には特別な操作を付加する必要なく、又、直線区間の運転には、この運行の支障を生じることなく、且、機械的に確実に自働的に作動する浮上り防止方法を求める。
【課題を解決するための手段】
【０００４】  鉄道レールのカーブ地点の内側レール２の内側に少し間隔をあけて並列して浮上り防止用長尺鋼材５を配置し、これを鋼材支持台７を介して枕木３に固定する。
一方車輌のボギー台車の車輌支持用フレーム８に取付けた固定軸９に浮上り防止輪１０を回転自在に取付ける。車輌が走行してカーブ地点に入ると、この地点より以降、浮上り防止用長尺鋼材５が取付けられているため、車輌支持用フレーム８に取付けられている浮上り防止輪１０は、そのまま長尺鋼材５の鍔６の下にもぐり込み、浮上ることが制限される。このようにして車輌ボギー台車のカーブ地点での浮上りを防止する方法。
【発明の効果】
【０００５】  本発明により電気的、機械的に特別の操作なく車輌のレールカーブ地点での運行の安全性を向上させることが出来る。
【発明を実施するための最良の形態】
【０００６】  図１は本発明実施の一例である。
鉄道レールのカーブに入る緩和曲線の開始地点の手前からカーブが終わる地点までの区間の内側レール２の内側に少し間隔をあけて並列して多数の浮上り防止用長尺鋼材５を並べて、これを連結し、これらを鋼材支持台７を介してコンクリート枕木３に強固に固定する。
一方車輌のボギー台車の車輌支持用フレーム８に取付けた固定軸９に浮上り防止輪１０を軸受により回転自在に取付ける。【０００７】  車輌が走行してきて緩和曲線の開始地点に入るとこの地点以降、浮上り防止用長尺鋼材５が取付けられているため車輌支持用フレーム８の固定軸９に取付けられている浮上り防止輪１０はそのまま長尺鋼材５の鍔６に下にもぐり込み浮上り防止輪１０が少し浮上って、鍔６に接すると、浮上り防止輪１０は回転し、これ以上の浮上は不可能となる。このようにして車輌ボギー台車は円滑に浮上りを阻止される。【０００８】  浮上り防止輪１０が少し浮上って鍔６に接するとコンクリート枕木３には引き上げられる力を生ずる。従ってレール２の外側に枕木用コンクリート杭１１を地中深く打込み、コンクリート巻きし、土砂を埋戻した後、コンクリート杭１１の埋込ナット１２と枕木取付ボルト１３により、コンクリート枕木３をコンクリート杭１１の上に押え込み締結することが必要である。
【図面の簡単な説明】
【０００９】
【図１】本発明実施の一例を示す縦断面図
【符号の説明】
【００１０】  １・・・・外側レール                ２・・・・内側レール
３・・・・コンクリート枕木          ４・・・・車輌の車輪
５・・・・浮上り防止用長尺鋼材      ６・・・・同左の鍔
７・・・・鋼材支持台
８・・・・ボギー台車の車輌支持用フレーム
９・・・・固定軸                  １０・・・・浮上り防止輪
１１・・・・枕木用コンクリート杭    １２・・・・同左の埋込ナット
１３・・・・枕木取付用ボルト
【手続補正３】
【補正対象書類名】図面
【補正対象項目名】図１
【補正方法】変更
【補正の内容】
【図１】
2006335339.tif 000004